(57)【特許請求の範囲】
【請求項１】
キャビネットにおいて形成された相異なる面に前記キャビネットの中心線に対して左右対称の位置関係で複数のスピーカユニット及び複数のパッシブラジエータが設置されたスピーカ装置であって、
前記中心線に対する左右の一方の方向側において、前記キャビネットにおける一方の側面と、前記一方の側面から前記中心線に近い側において前記一方の側面と平行に設けられた一方のキャビネット内分割面と、前記一方の側面と垂直な前面から斜めに突出した一方の突出部の先端において前記一方の突出部の延伸する方向と垂直に形成され一方のスピーカユニットが搭載された一方のスピーカユニット設置面と、が含まれる複数の面で第１の密封室が形成され、
前記中心線に対する左右の他方の方向側において前記中心線に対して対称に、前記一方の側面に対応する他方の側面と、前記一方のキャビネット内分割面に対応する他方のキャビネット内分割面と、前記一方の突出部に対応する他方の突出部と、前記一方のスピーカユニット設置面に対応し他方のスピーカユニットが搭載された他方のスピーカユニット設置面と、がそれぞれ形成され、前記他方の側面、前記他方のキャビネット内分割面、及び前記他方のスピーカユニット設置面が含まれる複数の面で第２の密封室が形成され、
前記第１の密封室を構成する複数の面のうち前記一方の突出部を構成する面以外の平行な２つの面と、前記第２の密封室を構成する複数の面のうち前記他方の突出部を構成する面以外の平行な２つの面とが、それぞれパッシブラジエータを搭載するパッシブラジエータ設置面である、
ことを特徴とするスピーカ装置。
【請求項２】
前記キャビネットにおいて、
前記一方の側面、前記一方のキャビネット内分割面、前記他方の側面、及び前記他方のキャビネット内分割面は、それぞれ前記パッシブラジエータ搭載面であり、
前記一方のキャビネット内分割面と前記他方のキャビネット内分割面に挟まれた箇所には開口部が設けられていることを特徴とする請求項１に記載のスピーカ装置。
【請求項３】
前記キャビネットにおいて、
前記一方のキャビネット内分割面と前記他方のキャビネット内分割面とは、前記中心軸上で共通に形成されたことを特徴とする請求項１に記載のスピーカ装置。
【請求項４】
前記キャビネットにおいて、
前記前面、及び前記前面と平行な背面が、それぞれ前記パッシブラジエータ搭載面であることを特徴とする請求項３に記載のスピーカ装置。
【請求項５】
請求項１から請求項４までのいずれか１項に記載のスピーカ装置において、
２つの前記スピーカユニットを同位相で駆動することを特徴とするスピーカ装置の駆動方法。
【発明の詳細な説明】
【技術分野】
【０００１】
本発明は、良好な音声出力特性が得られるスピーカ装置の構造、及びその駆動方法に関する。
【背景技術】
【０００２】
各種のオーディオ機器においては、低音から高音に至るまでの広い範囲で良好な音声出力特性が要求され、特に低音域での出力特性を向上させるために、スピーカユニットをキャビネット中に適切に配置させたスピーカ装置が用いられる。こうしたスピーカ装置においては、低音から高音までの広い範囲での良好な音声出力特性が要求される。この際に、スピーカユニットを収納するキャビネットの振動が発生すると、その共鳴音が発生するために、出力される音声の音質が損なわれることがある。
【０００３】
この振動を低減するために、例えば、特許文献１には、２個づつのスピーカユニットとパッシブラジエータを組み合わせた構成の音声出力装置が記載されている。図５は、このスピーカ装置９０の構成を示す断面図である。このスピーカ装置９０は、これらを収納するキャビネット９１の両側の側面９１１、９１２にそれぞれパッシブラジエータ９２、９３が埋め込まれている。キャビネット９１の内部には側面９１１、９１２と平行にキャビネット内分割面９１３、９１４が形成されており、それぞれにスピーカユニット９４、９５が埋め込まれている。なお、側面９１１とキャビネット内分割面９１３との間、キャビネット内分割面９１３とキャビネット面９１４との間、キャビネット内分割面９１４と側面９１２との間はそれぞれ密封された空間（密封室）となっている。ここで、スピーカユニット９４、９５は音声信号（電気信号）が入力されることによって音声を出力する。パッシブラジエータ９２、９３には音声信号は入力されず、それぞれスピーカユニット９４、９５によって発した密封室中での音圧で振動することにより、特に低音域での出力特性を向上させる。
【０００４】
この構造において、スピーカユニット９４、９５は同位相で駆動する、すなわち、これらに音声信号を同位相で入力させれば、これらが発生する振動は打ち消し合うため、キャビネット９１の振動は大幅に低減される。従って、振動の発生による音質の劣化が抑制される。
【０００５】
【特許文献１】特開平８−７９８７６号公報
【発明の開示】
【発明が解決しようとする課題】
【０００６】
しかしながら、液晶テレビジョン等のオーディオ機器は、ディスプレイが薄く、大画面である特徴を生かし、壁に掛けて使用される場合もある。こうした場合には、ディスプレイが大画面であるほど、視聴者の位置も様々となるため、音声の広い放射特性が要求される。これに対して、前記の技術においては、音声は主にスピーカユニット等が配列された方向、すなわち図５における左右の一方向に集中的に放射されるため、その特性は不充分である。
【０００７】
すなわち、従来の技術においては、キャビネットの振動を低減することによって良好な音質を得て、かつ音声の広い放射特性を得ることは困難であった。
【０００８】
本発明は、斯かる問題点に鑑みてなされたものであり、上記問題点を解決する発明を提供することを目的とする。
【課題を解決するための手段】
【０００９】
本発明は、上記課題を解決すべく、以下に掲げる構成とした。
本発明のスピーカ装置は、キャビネットにおいて形成された相異なる面に前記キャビネットの中心線に対して左右対称の位置関係で複数のスピーカユニット及び複数のパッシブラジエータが設置されたスピーカ装置であって、前記中心線に対する左右の一方の方向側において、前記キャビネットにおける一方の側面と、前記一方の側面から前記中心線に近い側において前記一方の側面と平行に設けられた一方のキャビネット内分割面と、前記一方の側面と垂直な前面から斜めに突出した一方の突出部の先端において前記一方の突出部の延伸する方向と垂直に形成され一方のスピーカユニットが搭載された一方のスピーカユニット設置面と、が含まれる複数の面で第１の密封室が形成され、前記中心線に対する左右の他方の方向側において前記中心線に対して対称に、前記一方の側面に対応する他方の側面と、前記一方のキャビネット内分割面に対応する他方のキャビネット内分割面と、前記一方の突出部に対応する他方の突出部と、前記一方のスピーカユニット設置面に対応し他方のスピーカユニットが搭載された他方のスピーカユニット設置面と、がそれぞれ形成され、前記他方の側面、前記他方のキャビネット内分割面、及び前記他方のスピーカユニット設置面が含まれる複数の面で第２の密封室が形成され、前記第１の密封室を構成する複数の面のうち前記一方の突出部を構成する面以外の平行な２つの面と、前記第２の密封室を構成する複数の面のうち前記他方の突出部を構成する面以外の平行な２つの面とが、それぞれパッシブラジエータを搭載するパッシブラジエータ設置面である、ことを特徴とする。
本発明のスピーカ装置は、前記キャビネットにおいて、前記一方の側面、前記一方のキャビネット内分割面、前記他方の側面、及び前記他方のキャビネット内分割面は、それぞれ前記パッシブラジエータ搭載面であり、前記一方のキャビネット内分割面と前記他方のキャビネット内分割面に挟まれた箇所には開口部が設けられていることを特徴とする。
本発明のスピーカ装置は、前記キャビネットにおいて、前記一方のキャビネット内分割面と前記他方のキャビネット内分割面とは、前記中心軸上で共通に形成されたことを特徴とする。
本発明のスピーカ装置は、前記キャビネットにおいて、前記前面、及び前記前面と平行な背面が、それぞれ前記パッシブラジエータ搭載面であることを特徴とする。
本発明のスピーカ装置の駆動方法は、前記スピーカ装置において、２つの前記スピーカユニットを同位相で駆動することを特徴とする。
【発明の効果】
【００１０】
本発明は以上のように構成されているので、キャビネットの振動を低減することによって良好な音質を得て、かつ音声の広い放射特性を得ることができる。
【発明を実施するための最良の形態】
【００１１】
以下、本発明を実施するための最良の形態となるスピーカ装置について説明する。このスピーカ装置においては、２個のスピーカユニットが用いられ、スピーカユニットと複数のパッシブラジエータがキャビネット中に形成された相異なる面にこれらが設置される。
【００１２】
また、このキャビネットにおいては、２個のスピーカユニットは中心線に対して左右対称の位置関係でそれぞれスピーカユニット設置面に設置される。これらのスピーカユニット設置面とは異なり、平行に対向する２つのパッシブラジエータ設置面にそれぞれパッシブラジエータが設置される。スピーカユニット設置面とこの２つのパッシブラジエータ設置面とが含まれる複数の面によって閉じられた空間（密封室）が形成されるため、２つのパッシブラジエータはスピーカユニットの動作に応じて動作する。キャビネットとパッシブラジエータとが用いられることにより、前記の通り、特に低音域で良好な出力特性が得られる。この際、キャビネットにおける振動の発生も抑制され、更に、音声の広い放射特性が得られる。このスピーカユニット設置面とパッシブラジエータ設置面の設定によって、本願発明のスピーカ装置には以下に示す様々な形態がある。
【００１３】
（第１の実施の形態）
図１に、本発明の第１の実施の形態に係るスピーカ装置１０の正面図（ａ）及びそのＩ−Ｉ方向の断面図（ｂ）を示す。このスピーカ装置１０においては、２個のスピーカユニットと４個のパッシブラジエータを収納するキャビネット１１は、平行に形成された左側面１１１、右側面１１２をそれぞれ左端面、右端面として備える。また、その内部において、中心線５００よりも左側（左側面１１１に近い側）に左側キャビネット内分割面（キャビネット内分割面）１１３、中心よりも右側（右側面１１２に近い側）に右側キャビネット内分割面（キャビネット内分割面）１１４を備える。左側キャビネット内分割面１１３及び右側キャビネット内分割面１１４は左側面１１１及び右側面１１２に平行に形成されている。また、キャビネット１１の前面１１５における左側に左側キャビネット突出部１１６、右側に右側キャビネット突出部１１７を備える。
【００１４】
左側面１１１にはパッシブラジエータ１２が、左側キャビネット内分割面１１３にはパッシブラジエータ１３がそれぞれ設置される。すなわち、左側面１１１、左側キャビネット内分割面１１３はパッシブラジエータ設置面となっている。左側キャビネット突出部１１６は、キャビネット１１の前面１１５から左側に向かって突き出した形態であり、その先端に形成された左側スピーカユニット設置面（スピーカユニット設置面）１１８には左側スピーカユニット１４が設置される。
【００１５】
また、このキャビネット１１においては、中心線５００よりも左側で、左側面１１１、左側キャビネット内分割面１１３、及び左側キャビネット突出部１１６（左側スピーカユニット設置面１１８）、上面、下面等の面によって第１の密封室が形成されている。
【００１６】
上記の構成を中心線５００に対して左右対称にした形態で、パッシブラジエータ１５、１６が、右側面１１２、右側キャビネット内分割面１１４にそれぞれ設置される。すなわち、右側においては、右側面１１２、右側キャビネット内分割面１１４はパッシブラジエータ設置面となっている。また、右側スピーカユニット１７は右側キャビネット突出部１１７の先端に形成された右側スピーカユニット設置面（スピーカユニット設置面）１１９に設置される。従って、このキャビネット１１の右側においても、同様に右側面１１２、右側キャビネット内分割面１１４、及び右側キャビネット突出部１１７（右側スピーカユニット設置面１１９）、上面、下面等の面によって第２の密封室が形成されている。
【００１７】
また、左側キャビネット突出部１１６と右側キャビネット突出部１１７とは中心線５００に対して左右対称の関係とされる。
【００１８】
また、キャビネット１１の前面１１５における左側キャビネット内分割面１１３と右側キャビネット内分割面１１４との間においては、開口部１８が設けられる。従って、これらの間では密封室は形成されておらず、開口部１８によって空気が自由に出入りできる構成とされる。
【００１９】
以上の構成において、左側スピーカユニット１４、右側スピーカユニット１７は、音声信号（電気信号）を音声として出力する一般に知られるスピーカユニットである。これらの大きさ、定格出力等は同一の仕様であることが好ましい。
【００２０】
また、パッシブラジエータ１２、１３、１５、１６には音声信号が入力されず、スピーカユニット１４、１７によって発生した音圧が密封室を介して伝わることによって振動して音声を出力する。これらの大きさ等も同一の仕様であることが好ましい。これらは、特に低音域での音声を効率よく出力する。
【００２１】
また、上記の構成のキャビネット１１は、上記の構成を実現でき、良好な音響特性を有する材料として、例えば木材や樹脂材料等で形成することができる。
【００２２】
以上の構成において、左側スピーカユニット１４と右側スピーカユニット１７に音声信号が入力された場合、これに応じてこれらにおける振動板が振動し、これによって音圧が発生する。左側においては、左側面１１１、左側キャビネット内分割面１１３、及び左側キャビネット突出部１１６によって第１の密封室が形成されているため、この音圧はパッシブラジエータ１２、１３に伝達され、パッシブラジエータ１２、１３における振動板も振動し、音声が出力される。右側においても同様に、第２の密封室が形成されているため、右側スピーカユニット１７の出力によってパッシブラジエータ１５、１６における振動板が振動し、音声が出力される。これにより、特に低音域において良好な音声が左右方向に放射される。一方、これらにおいて発生した振動はキャビネット１１にも伝搬し、キャビネット１１自身も振動させる。
【００２３】
また、左側キャビネット突出部１１６の形状によって、左側スピーカユニット１４は左側斜め前方に向かって音声を放射し、同様に右側スピーカユニット１７は右側斜め前方に向かって音声を放射する。
【００２４】
ここで、左側スピーカユニット１４と右側スピーカユニット１７を同位相で駆動する、すなわち、これらに音声信号を同位相で入力させた場合の、各パッシブラジエータ、スピーカユニットにおける振動の向きを、図１（ｂ）中の矢印で示す。ここで、例えば左側スピーカユニット１４の振動が黒色矢印の通りになった場合、右側スピーカユニット１７及び各パッシブラジエータにおける振動の向きは黒色矢印の通りとなる。白色矢印はこれと逆向きの動きの場合を示す。
【００２５】
この動きにより、隣接するパッシブラジエータの動きは互いに逆向きとなり、キャビネット１１における振動は打ち消し合って低減される。また、左側スピーカユニット１４側における振動と右側スピーカユニット１７側における振動は、これらが左右対称となる位置関係であるため、その左右方向の成分は同様に打ち消し合い、低減される。なお、この動きの際に、左側キャビネット内分割面１１３と右側キャビネット内分割面１１４との間の空間においては、パッシブラジエータ１３と１６は逆向きの運動をするために圧力変動が生ずるが、この圧力変動は開口部１８によって緩和され、パッシブラジエータ１３、１６の動きに悪影響を与えることはない。
【００２６】
この構成においては、左側にはパッシブラジエータ１２から、左側斜め前方には左側スピーカユニット１４から、右側にはパッシブラジエータ１５から、右側斜め前方には右側スピーカユニット１７から音声が放射される。従って、音声の広い放射特性を得ることができる。この際、上記のように、キャビネット１１における振動は低減される。
【００２７】
なお、左側キャビネット突出部１１６と前面１１５とのなす角度については、左側スピーカユニット１４及び右側スピーカユニット１７から音声が図１（ｂ）中の左右方向と上下方向との間の方向に放射される限り、任意である。すなわち、左側面１１１及び右側面１１２の法線方向（図１（ｂ）中における左右方向）と、これらの面と平行な方向（図１（ｂ）中における上下方向）の間の方向に左側スピーカユニット１４及び右側スピーカユニット１７が音声を放射するように左側スピーカユニット設置面１１８及び右側スピーカユニット設置面１１９が設けられればよい。ただし、これらのスピーカユニットから音声が放射される方向が図１（ｂ）における上下方向に近くなるにつれて、左側スピーカユニット１４と右側スピーカユニット１７から発生する振動を打ち消す効果は小さくなる。逆に、この方向が図１（ｂ）における左右方向に近くなるにつれて、図１（ｂ）における上下方向に音声が放射される割合が少なくなる。
【００２８】
以上の構成により、良好な音質が得られ、かつ音声の広い放射特性を得ることができる。従って、このスピーカ装置１０の利用者は、広がり感のある音声を良好な音質で聴くことができる。
【００２９】
なお、開口部１８は前面１１５に形成したが、これに限られるものではない。左側キャビネット内分割面１１３と右側キャビネット内分割面１１４との間の圧力変動を緩和して、パッシブラジエータ１３、１６の動きを良好にするという機能を発揮できる限り、背面、上面等、任意の箇所に設置でき、その大きさ、形状も任意である。また、例えば左側キャビネット内分割面１１３と右側キャビネット内分割面１１４との間の距離が大きいためにパッシブラジエータ１３、１６の動きが互いに与える影響が小さい場合には、開口部１８を設ける必要はない。
【００３０】
（第２の実施の形態）
図２に、本発明の第２の実施の形態に係るスピーカ装置２０の正面図（ａ）及びそのＩＩ−ＩＩ方向の断面図（ｂ）を示す。このスピーカ装置２０においては、２個のスピーカユニットと４個のパッシブラジエータを収納するキャビネット２１は、左側面２１１、キャビネット内分割面２１２、右側面２１３、前面２１４、背面２１５を備える。ここで、左側面２１１と右側面２１３とは平行に形成されており、前面２１４と背面２１５も平行に形成されている。
【００３１】
左側面２１１には左側スピーカユニット２２が、右側面２１３には右側スピーカユニット２３がそれぞれ設置される。すなわち、左側面２１１及び右側面２１３がスピーカユニット設置面となっている。キャビネット２１における中心線５００上にはキャビネット内分割面２１２が設けられ、キャビネット２１におけるこれよりも左側の空間と右側の空間とが分離される。すなわち、２つのスピーカユニット設置面（左側面、右側面）２１１、２１３の間においてキャビネット２１内はキャビネット内分割面２１２によって分割される。これにより、スピーカユニット設置面である左側面２１１、前面２１４、背面２１５、キャビネット内分割面２１２によってキャビネット２１における左側に第１の密封室が形成され、スピーカユニット設置面である右側面２１３、前面２１４、背面２１５、キャビネット内分割面２１２によってキャビネット２１における右側に第２の密封室が形成される。
【００３２】
前面２１４におけるキャビネット内分割面２１２よりも左側にはパッシブラジエータ２４が、右側にはパッシブラジエータ２５が設置される。背面２１５におけるキャビネット内分割面２１２よりも左側にはパッシブラジエータ２６が、右側にはパッシブラジエータ２７が設置される。すなわち、この形態においては前面２１４及び背面２１５がパッシブラジエータ設置面となっている。以上より、この構成も、中心線５００に対して左右対称となっている。
【００３３】
この構成においても、左側スピーカユニット２２と右側スピーカユニット２３が同位相で駆動された場合、各パッシブラジエータはこれに応じて振動し、音声が出力される。この際、左側スピーカユニット２２は左側に、右側スピーカユニット２３は右側に、パッシブラジエータ２４、２５は前方に、パッシブラジエータ２６、２７は後方にそれぞれ音声を放射する。従って、このスピーカ装置２０においては、これを取り囲む広い方向に音声が放射される。
【００３４】
この際、図２（ｂ）の白矢印で示されるように、パッシブラジエータ２４と２６の動きは逆方向となり、パッシブラジエータ２５と２７の動きも逆方向となるため、キャビネット２１における図中の前後方向の振動は打ち消し合う。また、左側スピーカユニット２２と右側スピーカユニット２３の動きも逆方向となるため、キャビネット２１における図中の左右方向の振動も打ち消し合う。従って、このスピーカ装置２０におけるキャビネット２１における振動は低減される。
【００３５】
従って、以上の構成により、第１の実施の形態と同様に、良好な音質が得られ、かつ音声の広い放射特性を得ることができる。特にこの構成の場合、前記の通り、第１の実施の形態よりも更に広い音声の放射特性が得られる。
【００３６】
また、面積の大きなパッシブラジエータを前面２１４及び背面２１５中に設置するため、前面２１４と背面２１５との間隔を小さくすること、すなわち、このスピーカ装置２０を薄型化することができる。
【００３７】
なお、この形態の場合、キャビネット内分割面２１２がなくとも上記の効果が得られる。この場合には、前面２１４及び背面２１５に設置するパッシブラジエータを各１個ずつとすることもできる。ただし、キャビネット内分割面２１２によって左側スピーカユニット２２が設けられた空間と右側スピーカユニット２３が設けられた空間とを分離することにより、音声出力が明確に分離され、ステレオ効果がより高くなるため、好ましい。
【００３８】
（第３の実施の形態）
図３に、本発明の第３の実施の形態に係るスピーカ装置３０の正面図（ａ）及びそのＩＩＩ−ＩＩＩ方向の断面図（ｂ）を示す。このスピーカ装置３０においては、２個のスピーカユニットと４個のパッシブラジエータを収納するキャビネット３１は、左側キャビネット突出部３１１、キャビネット内分割面３１２、右側キャビネット突出部３１３、前面３１４、背面３１５を備える。左側キャビネット突出部３１１は、キャビネット３１の左端部において、前面３１４から左斜め前方に突き出して形成され、その先端の左側スピーカユニット設置面（スピーカユニット設置面）３１６には左側スピーカユニット３２が設置される。右側キャビネット突出部３１３は、左側キャビネット突出部３１１と左右対称の関係で形成され、その先端の右側スピーカユニット設置面（スピーカユニット設置面）３１７には右側スピーカユニット３３が設置される。この構成においても、２つのスピーカユニット設置面３１６、３１７の間においてキャビネット３１内はキャビネット内分割面３１２によって分割される。これにより、左側スピーカユニット設置面３１６、前面３１４、背面３１５、キャビネット内分割面３１２によってキャビネット３１における左側に第１の密封室が形成され、右側スピーカユニット設置面３１７、前面３１４、背面３１５、キャビネット内分割面３１２によってキャビネット３１における右側に第２の密封室が形成される。
【００３９】
パッシブラジエータ３４、３５、３６、３７は、第２の実施の形態と同様に、キャビネット内分割面３１２の左右において前面３１４、背面３１５に設置される。以上より、この構成も、中心線５００に対して左右対称となっている。
【００４０】
この構成においても、左側スピーカユニット３２と右側スピーカユニット３３が同位相で駆動された場合、各パッシブラジエータはこれに応じて振動し、音声が出力される。この際、左側スピーカユニット３２は左側斜め前方に、右側スピーカユニット３３は右側斜め前方に、パッシブラジエータ３４、３５は前方に、パッシブラジエータ３６、３７は後方にそれぞれ音声を放射する。従って、このスピーカ装置３０においては、広い方向に音声が放射される。
【００４１】
この際、図３（ｂ）の白矢印で示されるように、パッシブラジエータ３４と３６の動きは逆方向となり、パッシブラジエータ３５と３７の動きも逆方向となるため、キャビネット３１における図中の前後方向の振動が打ち消し合う。また、左側スピーカユニット３２と右側スピーカユニット３３の振動の左右方向の成分も逆方向となるため、キャビネット３１における図中の左右方向の振動も打ち消し合う。従って、このスピーカ装置３０におけるキャビネット３１における振動は低減される。
【００４２】
この際、面積の大きなパッシブラジエータ３４〜３７は前面３１４、背面３１５中に設置される。更に、スピーカユニット３２、３３はこれを前面３１４（背面３１５）から傾斜させた角度で設置している。従って、スピーカユニット３２、３３の面積が大きな場合でも、前記の第２の実施の形態よりも、更にこのスピーカ装置３０を薄型化することができる。
【００４３】
従って、以上の構成により、第１の実施の形態と同様に、良好な音質が得られ、かつ音声の広い放射特性を得ることができる。また、この構成の場合、特にこのスピーカ装置３０を第２の実施の形態よりも更に薄型化することができる。
【００４４】
なお、この実施の形態における左側キャビネット突出部３１１と前面３１４とのなす角度、及び右側キャビネット突出部３１３と前面３１４とのなす角度については、前記の第１の実施の形態の場合と同様である。すなわち、左側スピーカユニット３２及び右側スピーカユニット３３から音声が図３（ｂ）中の左右方向と上下方向との間の方向に放射される限り、任意である。すなわち、前面３１４の法線方向（図３（ｂ）中における上下方向）と、これらの面と平行な方向（図３（ｂ）中における左右方向）の間の方向に左側スピーカユニット３２及び右側スピーカユニット３３が音声が放射されるように左側スピーカユニット設置面３１６及び右側スピーカユニット設置面３１７が設けられればよい。これらのスピーカユニットから音声が放射される方向が図３（ｂ）における上下方向に近くなるにつれて、左側スピーカユニット３２と右側スピーカユニット３３から発生する振動を打ち消す効果は小さくなる。逆に、この方向が図３（ｂ）における左右方向に近くなるにつれて、図３（ｂ）における上下方向に音声が放射される割合が少なくなる。
【００４５】
また、第２の実施の形態と同様に、キャビネット内分割面３１２がなくとも上記の効果が得られるが、ステレオ効果を高めるために、キャビネット内分割面３１２を設置してその両側の空間を分離することが好ましい。
【００４６】
なお、上記の第１〜３の実施の形態に係るスピーカ装置においては、いずれもスピーカユニットを２個用いた場合につき記載したが、スピーカユニットを３個以上設け、これに応じて密封室及びパッシブラジエータを上記の構成と同様に設けても同様の効果を奏することは明らかである。この場合、スピーカユニット及びパッシブラジエータから音声が放射される角度をより多く設定することができるため、より広い音声の放射特性を得ることができる。
【００４７】
また、上記のいずれの実施の形態に係るスピーカ装置においても、中心線に対して左右対称な構造を有していたが、上記の効果を大きく損なわない限りにおいて、若干の非対称性があってもよい。同様に、スピーカユニット間、パッシブラジエータ間における若干の差異があってもよく、両側面間、前面と背面間、左右のキャビネット内分割面間等の平行性に若干の誤差があってもよい。
【００４８】
上記の第１〜３の実施の形態に係るスピーカ装置においては、放射される音の広がりが大きく、キャビネットを用いることによって低音での良好な音声出力特性が得られる。更に、上記の通り、キャビネットの不要な振動を抑制することにより、良好な音質が得られる。従って、このスピーカ装置は、特に大画面の液晶テレビジョン受像機等に好ましく用いることができる。図４は、この際の形態を示した図である。ここでは前記のスピーカ装置１０が、大画面の液晶ディスプレイ５０の下部に取り付けられ、音声を出力する。この場合、液晶ディスプレイ５０が薄型であることを生かして、例えば壁掛け式テレビジョン受像機として用いられることがある。こうした場合でも、本願発明に係るスピーカ装置が用いられる場合には、キャビネットに振動が発生しにくいため、壁が共鳴することがなく、良好な音質の音声が広く放射される。
【００４９】
あるいは、上記のスピーカ装置においては、２個のスピーカユニットの間隔やパッシブラジエータ同士の間隔を狭くした場合でも充分な音声の広がりを得ることができる。従って、スピーカ装置自身の幅を小さくすることができるため、小型化が可能である。
【００５０】
その他、このスピーカ装置は、各種のオーディオ機器においても同様に用いることができ、同様の効果を奏する。
【図面の簡単な説明】
【００５１】
【図１】本発明の第１の実施の形態に係るスピーカ装置の正面図（ａ）及び断面図（ｂ）である。
【図２】本発明の第２の実施の形態に係るスピーカ装置の正面図（ａ）及び断面図（ｂ）である。
【図３】本発明の第３の実施の形態に係るスピーカ装置の正面図（ａ）及び断面図（ｂ）である。
【図４】本発明の実施の形態に係るスピーカ装置が液晶テレビジョン受像機において用いられる際の形態の一例を示す図である。
【図５】従来のスピーカ装置の構造の一例の断面図である。
【符号の説明】
【００５２】
１０、２０、３０、９０  スピーカ装置
１１、２１、３１、９１  キャビネット
１２、１３、１５、１６、２４〜２７、３４〜３７  パッシブラジエータ
１４、２２、３２  左側スピーカユニット
１７、２３、３３  右側スピーカユニット
１８  開口部
１１１、２１１  左側面
１１２、２１３  右側面
１１３  左側キャビネット内分割面（キャビネット内分割面）
１１４  右側キャビネット内分割面（キャビネット内分割面）
１１５、２１４、３１４  前面
１１６、３１１  左側キャビネット突出部
１１７、３１３  右側キャビネット突出部
１１８、３１６  左側スピーカユニット設置面（スピーカユニット設置面）
１１９、３１７  右側スピーカユニット設置面（スピーカユニット設置面）
２１２、３１２  キャビネット内分割面
２１５、３１５  背面
５００  中心線
【図１】
0005166973.tif 000002
【図２】
0005166973.tif 000003
【図３】
0005166973.tif 000004
【図４】
0005166973.tif 000005
【図５】
0005166973.tif 000006